(57)【要約】【課題】表示体の有する視覚的な効果を高めることを可能とした表示体、および、表示体の観察方法を提供する。【解決手段】表示体１０は、位相差ピッチで並ぶ複数の第１位相差部１４ａと、第２位相差部１４ｂとを含む位相差層１４と、各第１位相差部１４ａと１つずつ重なり、第１位相差部１４ａに含まれる液晶分子の配向方向を規制する特性を有する複数の第１規制部１３ａと、第２位相差部１４ｂと重なり、第２位相差部１４ｂに含まれる液晶分子の配向方向を規制する特性を有する第２規制部１３ｂとを含む配向規制層１３と、位相差層１４および配向規制層１３のいずれか一方と対向する反射層１２と、位相差ピッチとは異なるレンズピッチで並ぶ複数のレンズ１６ａを含み、各レンズ１６ａは、他の全てのレンズ１６ａとは異なる第１位相差部１４ａに焦点を有し、第１位相差部１４ａの拡大像の集合によって立体像を形成するレンズアレイ層１６とを備える。【選択図】図１
2017156703.tif 000002
【特許請求の範囲】
【請求項１】
複数の液晶分子を含み、光透過性を有する位相差層であって、所定の間隔である位相差ピッチで並ぶ複数の第１位相差部と、前記複数の第１位相差部の間を埋める第２位相差部とを含み、前記第１位相差部における前記液晶分子の配向方向と、前記第２位相差部における前記液晶分子の配向方向とが互いに異なる前記位相差層と、
光透過性を有し、前記位相差層に接する配向規制層であって、前記位相差層と前記配向規制層とが積み重なる方向において、前記各第１位相差部と１つずつ重なり、前記第１位相差部に含まれる前記液晶分子の前記配向方向を規制する特性を有する複数の第１規制部と、前記第２位相差部と重なり、前記第２位相差部に含まれる前記液晶分子の前記配向方向を規制する特性を有する第２規制部とを含む前記配向規制層と、
前記位相差層および前記配向規制層のいずれか一方と対向する反射層と、
前記位相差層と前記配向規制層とを挟んで前記反射層と対向するとともに、前記位相差ピッチとは異なるレンズピッチで並ぶ複数のレンズを含み、前記各レンズは、他の全ての前記レンズとは異なる前記第１位相差部に焦点を有し、前記第１位相差部の拡大像の集合によって立体像を形成するレンズアレイ層と、を備える
表示体。
【請求項２】
前記配向規制層は、光の照射によって前記液晶分子の前記配向方向を規制する特性を発現した光反応性分子を含み、
前記レンズアレイ層は、前記位相差層と対向し、
前記位相差層と前記レンズアレイ層との間に位置するとともに光透過性を有し、前記位相差層と前記レンズアレイ層とに接して、前記位相差層と前記レンズアレイ層とを接着する接着層をさらに備える
請求項１に記載の表示体。
【請求項３】
前記反射層は、前記レンズアレイ層と前記反射層とが積み重なる方向において、前記反射層の法線方向と交差する方向から前記反射層に入射した光を反射し、かつ、前記法線方向に平行な方向から前記反射層に入射した光を透過し、
前記反射層に対して前記レンズアレイ層とは反対側に位置し、可視光によって所定の像を形成する印刷層をさらに備える
請求項１または２に記載の表示体。
【請求項４】
前記レンズアレイ層は、第１レンズアレイ層であり、
前記レンズは、第１レンズであり、
前記レンズピッチは、第１レンズピッチであり、
前記立体像は、第１立体像であり、
前記印刷層は、所定の間隔であるパターンピッチで並ぶ複数のマイクロパターンを備え、
前記位相差層に対して前記反射層とは反対側に位置するとともに、前記パターンピッチとは異なる第２レンズピッチで並ぶ複数の第２レンズを含み、前記各第２レンズは、他の全ての前記第２レンズとは異なる前記マイクロパターンに焦点を有し、前記マイクロパターンの拡大像の集合によって第２立体像を形成する第２レンズアレイ層をさらに備える
請求項３に記載の表示体。
【請求項５】
前記反射層に対して前記レンズアレイ層とは反対側に位置する樹脂製の基材をさらに備える
請求項１から４のいずれか一項に記載の表示体。
【請求項６】
所定の間隔であるレンズピッチで並ぶ複数のレンズを含むレンズアレイ層を備える検証器による観察に適用される表示体であって、
複数の液晶分子を含み、光透過性を有する位相差層であって、前記レンズピッチとは異なる位相差ピッチで並ぶ複数の第１位相差部と、前記複数の第１位相差部の間を埋める第２位相差部とを含み、前記第１位相差部における前記液晶分子の配向方向と、前記第２位相差部における前記液晶分子の配向方向とが互いに異なる前記位相差層と、
光透過性を有し、前記位相差層に接する配向規制層であって、前記位相差層と前記配向規制層とが積み重なる方向において、前記各第１位相差部と１つずつ重なり、前記第１位相差部に含まれる前記液晶分子の前記配向方向を規制する特性を有する複数の第１規制部と、前記第２位相差部と重なり、前記第２位相差部に含まれる前記液晶分子の前記配向方向を規制する特性を有する第２規制部とを含む前記配向規制層と、
前記位相差層と前記配向規制層とのいずれか一方と対向する反射層と、を備える
表示体。
【請求項７】
前記位相差層と前記配向規制層とを挟んで前記反射層と対向し、光透過性を有する保護層をさらに備える
請求項６に記載の表示体。
【請求項８】
前記位相差層と前記配向規制層とを挟んで前記反射層と対向する偏光子層をさらに備える
請求項６または７に記載の表示体。
【請求項９】
所定の間隔であるレンズピッチで並ぶ複数のレンズを含むレンズアレイ層と、偏光子層とを含み、前記レンズアレイ層と前記偏光子層とが積み重なる検証器を用いて、位相差層、配向規制層、および、反射層を備える表示体を観察する表示体の観察方法であって、
前記レンズアレイ層および前記偏光子層のいずれか一方が、前記位相差層と前記配向規制層とを挟んで前記反射層と対向するように、前記検証器を前記表示体にかざすことを含み、
前記表示体は、請求項６または７に記載の表示体である
表示体の観察方法。
【発明の詳細な説明】
【技術分野】
【０００１】
本発明は、表示体、および、表示体の観察方法に関する。
【背景技術】
【０００２】
銀行券、商品券などの有価証券、および、パスポートなどの認証媒体には、これらの偽造を防止するために、偽造の難しい表示体が付されている。こうした表示体には、検証器を用いて真贋を判定することのできる表示体が知られている。この表示体として、液晶分子を配向させる配向規制層と、配向規制層上に形成された液晶層とを備える表示体が提案されている。液晶層は、配向規制層から転写された潜像を含み、潜像は、検証器である偏光フィルタが表示体にかざされることによって出現する（例えば、特許文献１参照）。
【先行技術文献】
【特許文献】
【０００３】
【特許文献１】特開２００５−３２６８８２号公報
【発明の概要】
【発明が解決しようとする課題】
【０００４】
ところで、上述した表示体には、より高い視覚的な効果を有することが求められている。なお、こうした事情は、各種物品の偽造を防止する目的で用いられる表示体に限らず、物品の意匠性を高める目的で用いられる表示体や、遊技用に用いられる表示体でも共通している。
本発明は、表示体の有する視覚的な効果を高めることを可能とした表示体、および、表示体の観察方法を提供することを目的とする。
【課題を解決するための手段】
【０００５】
上記課題を解決するための表示体は、複数の液晶分子を含み、光透過性を有する位相差層であって、所定の間隔である位相差ピッチで並ぶ複数の第１位相差部と、前記複数の第１位相差部の間を埋める第２位相差部とを含み、前記第１位相差部における前記液晶分子の配向方向と、前記第２位相差部における前記液晶分子の配向方向とが互いに異なる前記位相差層と、光透過性を有し、前記位相差層に接する配向規制層であって、前記位相差層と前記配向規制層とが積み重なる方向において、前記各第１位相差部と１つずつ重なり、前記第１位相差部に含まれる前記液晶分子の前記配向方向を規制する特性を有する複数の第１規制部と、前記第２位相差部と重なり、前記第２位相差部に含まれる前記液晶分子の前記配向方向を規制する特性を有する第２規制部とを含む前記配向規制層と、前記位相差層および前記配向規制層のいずれか一方と対向する反射層と、前記位相差層と前記配向規制層とを挟んで前記反射層と対向するとともに、前記位相差ピッチとは異なるレンズピッチで並ぶ複数のレンズを含み、前記各レンズは、他の全ての前記レンズとは異なる前記第１位相差部に焦点を有し、前記第１位相差部の拡大像の集合によって立体像を形成するレンズアレイ層と、を備える。
【０００６】
上記課題を解決するための表示体は、所定の間隔であるレンズピッチで並ぶ複数のレンズを含むレンズアレイ層を備える検証器による観察に適用される表示体である。表示体は、複数の液晶分子を含み、光透過性を有する位相差層であって、前記レンズピッチとは異なる位相差ピッチで並ぶ複数の第１位相差部と、前記複数の第１位相差部の間を埋める第２位相差部とを含み、前記第１位相差部における前記液晶分子の配向方向と、前記第２位相差部における前記液晶分子の配向方向とが互いに異なる前記位相差層と、光透過性を有し、前記位相差層に接する配向規制層であって、前記位相差層と前記配向規制層とが積み重なる方向において、前記各第１位相差部と１つずつ重なり、前記第１位相差部に含まれる前記液晶分子の前記配向方向を規制する特性を有する複数の第１規制部と、前記第２位相差部と重なり、前記第２位相差部に含まれる前記液晶分子の前記配向方向を規制する特性を有する第２規制部とを含む前記配向規制層と、前記位相差層と前記配向規制層とのいずれか一方と対向する反射層と、を備える。
【０００７】
上記課題を解決するための表示体の観察方法は、所定の間隔であるレンズピッチで並ぶ複数のレンズを含むレンズアレイ層と、偏光子層とを含み、前記レンズアレイ層と前記偏光子層とが積み重なる検証器を用いて、位相差層、配向規制層、および、反射層を備える表示体を観察する表示体の観察方法である。前記レンズアレイ層および前記偏光子層のいずれか一方が、前記位相差層と前記配向規制層とを挟んで前記反射層と対向するように、前記検証器を前記表示体にかざすことを含み、前記表示体は、上記表示体である。
【０００８】
上記構成によれば、位相差層に第１位相差部として含まれる潜像は、表示体に対して偏光子がかざされたときに立体像として出現するため、表示体の視覚的な効果高まる。
【０００９】
上記表示体において、前記配向規制層は、光の照射によって前記液晶分子の前記配向方向を規制する特性を発現した光反応性分子を含み、前記レンズアレイ層は、前記位相差層と対向し、前記位相差層と前記レンズアレイ層との間に位置するとともに光透過性を有し、前記位相差層と前記レンズアレイ層とに接して、前記位相差層と前記レンズアレイ層とを接着する接着層をさらに備えることが好ましい。
【００１０】
上記構成によれば、液晶分子と接着層との間の接着力は、光反応性分子と接着層との間の接着力よりも大きいため、レンズアレイ層が配向規制層と対向する構成と比べて、レンズアレイ層とレンズアレイ層に対向する層とがより強固に接着される。
【００１１】
上記表示体において、前記反射層は、前記レンズアレイ層と前記反射層とが積み重なる方向において、前記反射層の法線方向と交差する方向から前記反射層に入射した光を反射し、かつ、前記法線方向に平行な方向から前記反射層に入射した光を透過し、前記反射層に対して前記レンズアレイ層とは反対側に位置し、可視光によって所定の像を形成する印刷層をさらに備えてもよい。
【００１２】
上記構成によれば、表示体に偏光子がかざされていない状態では、表示体が印刷層による像のみを表示する一方で、表示体に偏光子がかざされた状態では、表示体が印刷層による像と立体像との両方を表示することができるため、表示体の視覚的な効果がより高まる。
【００１３】
上記表示体において、前記レンズアレイ層は、第１レンズアレイ層であり、前記レンズは、第１レンズであり、前記レンズピッチは、第１レンズピッチであり、前記立体像は、第１立体像であり、前記印刷層は、所定の間隔であるパターンピッチで並ぶ複数のマイクロパターンを備え、前記位相差層に対して前記反射層とは反対側に位置するとともに、前記パターンピッチとは異なる第２レンズピッチで並ぶ複数の第２レンズを含み、前記各第２レンズは、他の全ての前記第２レンズとは異なる前記マイクロパターンに焦点を有し、前記マイクロパターンの拡大像の集合によって第２立体像を形成する第２レンズアレイ層をさらに備えてもよい。
【００１４】
上記構成によれば、表示体は、第１位相差部に基づく第１立体像と、マイクロパターンに基づく第２立体像との２つの立体像を表示することができるため、表示体の視覚的な効果がより高まる。
【００１５】
上記表示体において、前記反射層に対して前記レンズアレイ層とは反対側に位置する樹脂製の基材をさらに備えることが好ましい。
上記構成によれば、基材と配向規制層との間に反射層が位置するため、基材の形成方法における自由度が高まる。
【００１６】
上記表示体において、前記位相差層と前記配向規制層とを挟んで前記反射層と対向し、光透過性を有する保護層をさらに備えることが好ましい。
上記構成によれば、位相差層と配向規制層とが反射層と保護層とによって挟まれているため、位相差層と配向規制層とに、化学的な損傷や物理的な損傷が生じることが抑えられる。
【００１７】
上記表示体において、前記位相差層と前記配向規制層とを挟んで前記反射層と対向する偏光子層をさらに備えてもよい。
上記構成によれば、第１位相差部に基づく立体像を出現させるための検証器において、偏光子層が不要になる。
【発明の効果】
【００１８】
本発明によれば、表示体の有する視覚的な効果を高めることができる。
【図面の簡単な説明】
【００１９】
【図１】第１実施形態における表示体の断面構造を示す断面図。
【図２】配向規制層における配向規制方向と位相差層における配向方向とを説明するための模式的な分解斜視図。
【図３】レンズアレイ層と位相差層とが積み重なる方向から見た位相差層の一部平面構造を示す部分平面図。
【図４】表示体の観察方法を説明するための図。
【図５】表示体の観察方法を説明するための図。
【図６】表示体の製造方法における基材を準備する工程を説明するための工程図。
【図７】表示体の製造方法における反射層を形成する工程を説明するための工程図。
【図８】表示体の製造方法における感光性層を形成する工程を説明するための工程図。
【図９】表示体の製造方法における感光性層を露光する工程を説明するための工程図。
【図１０】表示体の製造方法における感光性層を露光する工程を説明するための工程図。
【図１１】表示体の製造方法における位相差層を形成する工程を説明するための工程図。
【図１２】表示体の製造方法における接着層を形成する工程を説明するための工程図。
【図１３】変形例における表示体の断面構造を示す断面図。
【図１４】変形例におけるレンズアレイ層と位相差層とが積み重なる方向から見た位相差層の一部平面構造を示す部分平面図。
【図１５】変形例におけるレンズアレイ層と位相差層とが積み重なる方向から見た位相差層の一部平面構造を示す部分平面図。
【図１６】変形例における表示体の断面構造を示す断面図。
【図１７】変形例における表示体の断面構造を示す断面図。
【図１８】変形例における表示体の作用を説明するための図。
【図１９】変形例における表示体の作用を説明するための図。
【図２０】変形例における表示体の断面構造を示す断面図。
【図２１】変形例における表示体の作用を説明するための作用図。
【図２２】変形例における表示体の作用を説明するための作用図。
【図２３】第２実施形態における表示体の断面構造を示す断面図。
【図２４】表示体の観察方法を説明するための図。
【図２５】変形例における表示体の観察方法を説明するための図。
【図２６】変形例における表示体の断面構造を示す断面図。
【図２７】変形例における転写箔の断面構造を示す断面図。
【発明を実施するための形態】
【００２０】
［第１実施形態］
図１から図１２を参照して、本発明における表示体、および、表示体の観察方法を具体化した第１実施形態を説明する。以下では、表示体の構成、表示体の観察方法、および、表示体の製造方法を順番に説明する。
【００２１】
［表示体の構成］
図１および図２を参照して表示体の構成を説明する。
図１が示すように、表示体１０は、基材１１、反射層１２、配向規制層１３、位相差層１４、接着層１５、および、レンズアレイ層１６を備えている。
【００２２】
位相差層１４は、複数の液晶分子を含み、光透過性を有している。位相差層１４は、所定の間隔である位相差ピッチで並ぶ複数の第１位相差部１４ａと、複数の第１位相差部１４ａの間を埋める第２位相差部１４ｂとを含んでいる。第１位相差部１４ａにおける液晶分子の配向方向が第１配向方向であり、第２位相差部１４ｂにおける液晶分子の配向方向が第２配向方向であり、第１配向方向と第２配向方向とは互いに異なっている。
【００２３】
配向規制層１３は、光透過性を有し、位相差層１４に接している。配向規制層１３は、位相差層１４と配向規制層１３とが積み重なる方向において、各第１位相差部１４ａと１つずつ重なる複数の第１規制部１３ａを含んでいる。各第１規制部１３ａは、第１規制部１３ａに重なる第１位相差部１４ａに含まれる液晶分子の配向方向を規制する特性を有している。配向規制層１３は、光の照射によって液晶分子の配向方向を規制する特性を発現した光反応性分子を含んでいる。
【００２４】
配向規制層１３は、位相差層１４と配向規制層１３とが積み重なる方向において、第２位相差部１４ｂと重なる第２規制部１３ｂを含んでいる。第２規制部１３ｂは、第２位相差部１４ｂに含まれる液晶分子の配向方向を規制する特性を有する。
【００２５】
すなわち、配向規制層１３は、複数の第１規制部１３ａと、複数の第１規制部１３ａの間を埋める第２規制部１３ｂとを含んでいる。配向規制層１３と位相差層１４とが積み重なる方向において、各第１規制部１３ａは、他の全ての第１規制部１３ａとは異なる第１位相差部１４ａと重なり、第２規制部１３ｂは第２位相差部１４ｂに重なっている。
反射層１２は、位相差層１４と配向規制層１３とのうち、配向規制層１３と対向し、かつ、配向規制層１３に接している。
【００２６】
レンズアレイ層１６は、位相差層１４と配向規制層１３とを挟んで反射層１２と対向し、かつ、レンズアレイ層１６は、位相差層１４と配向規制層１３とのうち、位相差層１４と対向している。レンズアレイ層１６は、上述した位相差ピッチとは異なるレンズピッチで並ぶ複数のレンズ１６ａを含み、各レンズ１６ａは、他の全てのレンズ１６ａとは異なる第１位相差部１４ａに焦点を有している。レンズアレイ層１６は、第１位相差部１４ａの拡大像の集合によって、立体像を形成する。
【００２７】
レンズアレイ層１６は、光透過性を有する１つの支持層１６ｂを備え、支持層１６ｂのうち、位相差層１４と対向する面とは反対側の面に、複数のレンズ１６ａが並んでいる。各レンズ１６ａは、凸状のマイクロレンズである。
【００２８】
こうした表示体１０によれば、位相差層１４に第１位相差部１４ａとして含まれる潜像は、表示体１０に対して検証器である偏光子がかざされたときに立体像として出現するため、表示体１０の視覚的な効果が高まる。
【００２９】
接着層１５は、位相差層１４とレンズアレイ層１６との間に位置するとともに光透過性を有している。接着層１５は、位相差層１４とレンズアレイ層１６とに接して、位相差層１４とレンズアレイ層１６とを接着している。
【００３０】
位相差層１４に含まれる液晶分子と接着層１５との間の接着力は、配向規制層１３に含まれる光反応性分子と接着層１５との間の接着力よりも大きいため、レンズアレイ層１６が配向規制層１３と対向する構成と比べて、レンズアレイ層１６とレンズアレイ層１６に対向する層とがより強固に接着される。
【００３１】
基材１１は、反射層１２に対してレンズアレイ層１６とは反対側に位置し、反射層１２に接している。表示体１０では、基材１１と配向規制層１３との間に反射層１２が位置するため、基材１１の形成方法における自由度が高まる。
【００３２】
図２には、配向規制層１３の一部と、位相差層１４の一部とが拡大して示されている。
図２が示すように、配向規制層１３において、位相差層１４と接する面が表面であり、配向規制層１３の表面に平行な任意の方向がＸ方向である。また、配向規制層１３の表面に平行な任意の方向であって、かつ、Ｘ方向と直交する方向がＹ方向である。
【００３３】
配向規制層１３は、上述したように、位相差層１４に含まれる液晶分子を配向させる特性を有している。配向規制層１３において、液晶分子の配向を規制する方向であって、配向規制層１３の表面に平行な方向が配向規制方向である。第１規制部１３ａにおいて、位相差層１４に含まれる液晶分子の配向を規制する方向が第１規制方向Ｄｒ１であり、第２規制部１３ｂにおいて、位相差層１４に含まれる液晶分子の配向を規制する方向が第２規制方向Ｄｒ２である。Ｘ方向と第１規制方向Ｄｒ１とが形成する角度が第１規制角θｒ１であり、Ｘ方向と第２規制方向Ｄｒ２とが形成する角度が第２規制角θｒ２であり、第１規制角θｒ１と第２規制角θｒ２とは、１０°以上異なることが好ましい。
【００３４】
なお、第１規制部１３ａおよび第２規制部１３ｂとの各々には、第１規制角θｒ１と第２規制角θｒ２との間の差が１０°よりも小さい部分が含まれてもよい。ただし、第１規制部１３ａおよび第２規制部１３ｂの各々には、第１規制角θｒ１と第２規制角θｒ２との間の差が１０°以上である部分が、５０％以上含まれることが好ましい。
【００３５】
位相差層１４において、配向規制層１３に接する面とは反対側の面が表面であり、位相差層１４の表面に平行な方向であって、液晶分子の配向する方向が配向方向である。位相差層１４のうち、第１位相差部１４ａにおいて、液晶分子の配向方向が第１配向方向Ｄｏ１であり、第２位相差部１４ｂにおいて、液晶分子の配向方向が第２配向方向Ｄｏ２である。第１配向方向Ｄｏ１は第１規制方向Ｄｒ１にほぼ等しく、第２配向方向Ｄｏ２は第２規制方向Ｄｒ２にほぼ等しい。
【００３６】
Ｘ方向と第１配向方向Ｄｏ１とが形成する角度が第１配向角θｏ１であり、Ｘ方向と第２配向方向Ｄｏ２とが形成する角度が第２配向角θｏ２である。第１配向角θｏ１は第１規制角θｒ１とほぼ等しく、第２配向角θｏ２は第２規制角θｒ２とほぼ等しい。
【００３７】
このように、位相差層１４において、第１位相差部１４ａにおける第１配向角θｏ１と、第２位相差部１４ｂにおける第２配向角θｏ２とが互いに異なる角度である。そのため、位相差層１４に入射した偏光の偏光軸とＸ方向との形成する角度が所定の大きさであって、位相差層１４に入射した偏光が、第１位相差部１４ａを透過することのできる角度であるとき、潜像としての第１位相差部１４ａが顕像化する。また、位相差層１４に入射した偏光の偏光軸とＸ方向との形成する角度が所定の大きさであって、位相差層１４に入射した偏光が、第２位相差部１４ｂを透過することのできる角度であるときにも、第１位相差部１４ａが顕像化する。
【００３８】
配向規制層１３の表面と対向する平面視において、第１位相差部１４ａは星形状を有しているが、円状、多角形状、および、直線状などの他の形状を有してもよい。あるいは、第１位相差部１４ａは、所定の文字や数字を表現する形状を有してもよい。
【００３９】
図３には、レンズアレイ層１６と位相差層１４とが積み重なる方向から見た位相差層１４の平面構造における一部が示されている。なお、図３では、説明の便宜上から、位相差層１４に重なるレンズ１６ａが二点鎖線で示されている。
【００４０】
図３が示すように、位相差層１４において、複数の第１位相差部１４ａは、Ｘ方向に沿って所定の間隔である位相差ピッチＰｄで並ぶとともに、Ｙ方向に沿って同じく位相差ピッチＰｄで並んでいる。
【００４１】
レンズアレイ層１６において、複数のレンズ１６ａは、Ｘ方向に沿って所定の間隔であるレンズピッチＰｌで並ぶとともに、Ｙ方向に沿って同じくレンズピッチＰｌで並んでいる。上述したように、レンズピッチＰｌは位相差ピッチＰｄと異なる値であり、かつ、レンズアレイ層１６と位相差層１４とが重なる方向から見て、各レンズ１６ａは、複数の第１位相差部１４ａのうち、他の全てのレンズ１６ａが重なる第１位相差部１４ａとは異なる第１位相差部１４ａと重なっている。
【００４２】
位相差ピッチＰｄはレンズピッチＰｌよりも大きくてもよいし、小さくてもよい。位相差ピッチＰｄがレンズピッチＰｌよりも大きい場合と、位相差ピッチＰｄがレンズピッチＰｌよりも小さい場合とでは、互いに異なる視覚的な効果を有した立体像を得ることができる。
【００４３】
位相差ピッチＰｄとレンズピッチＰｌとは、以下の式１を満たすことが好ましい。
Ｐｌ＝Ｐｄ±Ｐｄ×０．３  …  （式１）
【００４４】
また、位相差ピッチＰｄとレンズピッチＰｌとが、以下の式２あるいは式３を満たす場合には、複数の第１位相差部１４ａと複数のレンズ１６ａとによるモアレ効果が得られにくくなるため、表示体１０が表示する立体像の立体性が低くなる。
Ｐｌ＞Ｐｄ×１．３  …  （式２）
Ｐｌ＜Ｐｄ×０．７  …  （式３）
【００４５】
このように、位相差ピッチＰｄとは異なる値であるものの、位相差ピッチＰｄにほぼ等しいレンズピッチＰｌで並ぶ複数のレンズ１６ａが位相差ピッチＰｄで並ぶ複数の第１位相差部１４ａに対して重なることで、第１位相差部１４ａの有する形状が立体像として出現する。
【００４６】
レンズピッチＰｌは１０μｍ以上３００μｍ以下であることが好ましく、２０μｍ以上２００μｍ以下であることがより好ましい。レンズピッチＰｌが３００μｍ以下であれば、表示体１０が表示する像の解像度が粗くなることが抑えられ、モアレ効果が低くなることが抑えられる。また、レンズピッチＰｌが１０μｍ以上であれば、レンズピッチＰｌと同程度の位相差ピッチＰｄで並ぶ第１位相差部１４ａを形成しやすくなり、第１位相差部１４ａの立体像が得やすくなる。
【００４７】
［表示体の観察方法］
図４および図５を参照して表示体の観察方法を説明する。
図４が示すように、表示体１０を観察するときには、暗室ではない環境、言い換えれば、少なからず可視光が入射する環境において、表示体１０に対して偏光子Ｐをかざす。すなわち、表示体１０と観察者ＯＢとの間に、表示体１０のレンズアレイ層１６と偏光子Ｐとが対向するように偏光子Ｐを配置する。
【００４８】
このとき、偏光子Ｐを通った光がレンズアレイ層１６から表示体１０に入射する。入射した光の少なくとも一部が反射層１２にて反射され、反射された光は、位相差層１４、および、レンズアレイ層１６を通って、表示体１０から射出される。表示体１０から射出された光は、偏光子Ｐを通って観察者ＯＢによって視認される。
【００４９】
これにより、図５が示すように、第１位相差部１４ａの拡大像の集合によって立体像Ｓが出現する。そのため、位相差層に含まれる潜像が平面的に表示される表示体と比べて、表示体１０の視覚的な効果が高まる。
なお、表示体１０は、１つの立体像Ｓを表示するように構成されていてもよいし、複数の立体像Ｓを表示するように構成されていてもよい。
【００５０】
こうした表示体１０は、所定の物品に付された表示体１０が、偏光子Ｐがかざされることによって立体像Ｓを表示できるか否かによって、表示体１０の真贋、ひいては、物品の真贋を検証するために用いることが可能である。また、表示体１０は、物品を装飾するために用いられてもよいし、遊技用の物品、例えば遊技用カードの一部として用いられてもよい。
【００５１】
［表示体の製造方法］
図６から図１２を参照して表示体の製造方法を説明する。
図６が示すように、表示体１０を製造するときには、まず、基材１１を準備する。基材１１は、押出加工やキャスト加工によって形成された無延伸フィルム、および、延伸加工によって形成された延伸フィルムなどであればよい。基材１１が延伸フィルムであるとき、基材１１は、１軸延伸フィルムであってもよいし、２軸延伸フィルムであってもよい。
【００５２】
基材１１の形成材料は、例えば、セルロース、ポリカーボネート（ＰＣ）、ポリエチレン（ＰＥ）、ポリプロピレン（ＰＰ）、ポリオレフィン（ＰＯ）、エチレンビニルアルコール（ＥＶＯＨ）、ポリビニルアルコール（ＰＶＡ）、ポリ塩化ビニル、ポリエチレンナフタレート（ＰＥＮ）、ポリエチレンテレフタレート（ＰＥＴ）、ナイロン、アクリル樹脂、および、トリアセチルセルロース（ＴＡＣ）などのいずれかである。
【００５３】
なお、基材１１が延伸フィルムであるとき、延伸フィルムを作成するときに母材が延伸された方向が延伸方向である。基材１１に対して直に配向規制層１３を形成すると、配向規制層１３に含まれる分子が、基材１１の延伸方向に沿って配向する。そのため、配向規制層１３における配向規制方向を、延伸方向以外の所望とする方向に変えることが難しい。
【００５４】
図７が示すように、基材１１の１つの面に反射層１２を形成する。反射層１２の形成材料は、例えば、Ａｌ、Ｓｎ、Ｃｒ、Ｎｉ、Ｃｕ、Ａｕ、Ｚｎ、Ｓｉ、および、Ａｇなどの元素から構成される群から選択される少なくとも１つ、あるいは、この群から選択される少なくとも１つの化合物であればよい。反射層１２は、例えば、真空蒸着法、スパッタリング法、および、ＣＶＤ法などを用いて形成することができる。
【００５５】
なお、反射層１２のうち、基材１１に接する面とは反対側の面が表面であり、反射層１２の表面は平坦面であってもよいし、微細な凹凸形状を有する段差面であってもよい。反射層１２の表面が段差面である構成では、微細な凹凸形状としてホログラムのような凹凸形状を採用することができる。
【００５６】
図８が示すように、反射層１２の表面に、配向規制層１３の前駆体である感光性層１３ｐを形成する。感光性層１３ｐの形成材料は、例えば、アゾベンゼン誘導体、桂皮酸エステル、クマリン、カルコン、ベンゾフェノン、および、ポリイミドのいずれかである。アゾベンゼン誘導体、桂皮酸エステル、クマリン、カルコン、ベンゾフェノン、および、ポリイミドが、光の照射によって液晶分子の配向方向を規制する特性を発現する光反応性分子の一例である。
【００５７】
感光性層１３ｐの形成材料がアゾベンゼン誘導体であるとき、アゾベンゼン誘導体が偏光の照射によって光異性化することによって、配向規制層１３が所定の配向角を有する。感光性層１３ｐの形成材料が、桂皮酸エステル、クマリン、カルコン、および、ベンゾフェノンであるとき、これらの誘導体が偏光の照射によって光二量化、あるいは、光架橋することによって、配向規制層１３が所定の配向角を有する。感光性層１３ｐの形成材料がポリイミドであるとき、ポリイミドが偏光の照射によって光分解することによって、配向規制層１３が所定の配向角を有する。
【００５８】
上述した形成材料をグラビアコート法、および、ダイコート法などのいずれかの塗布方法を用いて反射層１２の表面に塗布することによって、感光性層１３ｐを形成することができる。
【００５９】
基材１１と感光性層１３ｐとの間に反射層１２が位置するため、基材１１として延伸フィルムを用いたとしても、基材１１における延伸方向が、反射層１２の表面に形成された感光性層１３ｐに含まれる分子の配向する方向に影響することが抑えられる。それゆえに、基材１１として延伸フィルムを用いたとしても、配向規制層１３における配向規制方向が所望とする方向とすることが可能になり、それゆえに、基材１１における形成方法の自由度が高まる。
【００６０】
図９が示すように、マスクＭを用いて感光性層１３ｐに第１偏光を照射する。感光性層１３ｐにおいて、反射層１２と接する面とは反対側の面が表面である。感光性層１３ｐにおけるＸ方向と、感光性層１３ｐに対して偏光を照射する偏光光源から射出された偏光の偏光方向とが形成する角度が偏光角である。Ｘ方向と、第１偏光の偏光方向とが形成する角度が第１偏光角である。なお、偏光角は、Ｙ方向と偏光の偏光方向とが形成される角度として定義されてもよい。また、感光性層１３ｐに対して偏光を複数回照射するとともに、感光性層１３ｐのうち、第１偏光の照射された部分に、２回目以降の偏光が照射された場合には、第１偏光角と第１配向規制角とが異なる場合がある。
【００６１】
マスクＭは、配向規制層１３における第１規制部１３ａに対応する開口Ｍａを有している。マスクＭの形成材料は、樹脂、ガラス、および、金属などのいずれかであればよく、第１偏光を遮光することのできる材料であればよい。
【００６２】
感光性層１３ｐに対してマスクＭを用いて第１偏光が照射されると、マスクＭと感光性層１３ｐとが重なる方向において、感光性層１３ｐのうち、開口Ｍａと重なる部分に第１偏光が照射される。感光性層１３ｐのうち、第１偏光が照射された部分が被照射部であり、被照射部に含まれる分子の一部が異方的に再配列する。もしくは、被照射部に含まれる分子の一部において化学反応が異方的に進む。結果として、感光性層１３ｐのうち、被照射部に、第１偏光の第１偏光角に応じた配向規制方向を有する前駆部１３ａｐが形成される。
【００６３】
図１０が示すように、感光性層１３ｐの全体に、第１偏光とは異なる偏光角である第２偏光角を有した第２偏光を照射する。これにより、複数の第１規制部１３ａと、第２規制部１３ｂとを含む配向規制層１３が形成される。配向規制層１３において、第１規制部１３ａは第１規制角θｒ１を有し、第２規制部１３ｂは第１規制角θｒ１とは異なる第２規制角θｒ２を有する。配向規制層１３の厚さは、例えば1０ｎｍ以上５００ｎｍ以下である。
【００６４】
なお、感光性層１３ｐの全体ではなく、感光性層１３ｐのうち、上述した被照射部以外の部分にのみ第２偏光を照射してもよい。こうした方法でも、第１規制部１３ａと、第１規制部１３ａとは異なる規制角を有した第２規制部１３ｂとを形成することができる。この場合には、感光性層１３ｐに第１偏光を照射することによって、第１規制部１３ａが形成される。
【００６５】
また、感光性層１３ｐに対する第２偏光の照射を行わずとも、表示体１０に偏光子をかざすことによって、第１位相差部１４ａに基づく像が生じる。ここで、感光性層１３ｐにおいて、感光性層１３ｐに含まれる分子はランダムに並んでいる。そのため、第１偏光の照射のみによって形成された配向規制層では、複数の第１規制部の間を埋める部分が、分子のランダムに並んだ非規制部である。それゆえに、位相差層のうち、非規制部に重なる部分には、特定の配向を有しない非配向部が形成される。
【００６６】
こうした非配向部を有する表示体は、表示体に偏光子をかざさなくとも非配向部に基づく像を表示する可能性がある。そのため、配向規制層１３の全体が、規則的な異方性を有することが好ましい。
【００６７】
図１１が示すように、配向規制層１３のうち、反射層１２に接する面とは反対側の面に位相差層１４を形成する。位相差層１４が配向規制層１３上に形成されると、位相差層１４に含まれる複数の液晶分子が、配向規制層１３における配向規制方向に沿って配向する。これにより、位相差層１４には、第１規制方向Ｄｒ１に沿って配向した液晶分子を含む第１位相差部１４ａと、第２規制方向Ｄｒ２に沿って配向した液晶分子を含む第２位相差部１４ｂとが形成される。位相差層の厚さは、例えば０．５μｍ以上３．０μｍ以下である。
【００６８】
位相差層１４の形成材料は、例えば、メソゲン基の両端にアクリレートを有する光硬化性液晶モノマー、電子線あるいは紫外線の照射によって硬化する高分子液晶、ポリマーの主鎖から分岐する状態で主鎖にメソゲン基が結合している高分子液晶、および、分子の主鎖が配向規制方向に沿って配向する液晶高分子などである。これら光硬化性液晶モノマー、および、３種の高分子液晶の各々が、液晶分子の一例である。
【００６９】
なお、液晶において、ネマティック相から等方相に相転移する温度がＮＩ点であり、液晶材料を配向規制層１３の上に塗布した後、液晶材料をＮＩ点よりも５℃程度低い温度で熱処理することによって、液晶分子の配向を促すことができる。
【００７０】
また、液晶材料が活性線硬化性、すなわち、紫外線硬化性や電子線硬化性を有するときには、紫外線や電子線によって液晶材料を硬化させることによって、位相差層１４における配向をより安定化させることができる。
【００７１】
図１２が示すように、位相差層１４のうち、配向規制層１３に接する面とは反対側の面に接着層１５を形成する。接着層１５の形成材料は、例えば、アクリル系樹脂、ウレタン系樹脂、エポキシ樹脂、および、ポリエステル樹脂などである。これら形成材料をグラビアコート法、および、ダイコート法などのいずれかの塗布方法を用いて位相差層１４のうち、配向規制層１３に接する面とは反対側の面に塗布することによって、接着層１５を形成することができる。
【００７２】
そして、接着層１５のうち、位相差層１４に接する面とは反対側の面にレンズアレイ層１６を貼り合わせる。これにより、図１を参照して先に説明した表示体１０を得ることができる。
【００７３】
レンズアレイ層１６の形成材料には、例えば、熱可塑性樹脂や、紫外線などの活性線によって硬化する活性線硬化性樹脂を用いることができる。ここで、熱可塑性樹脂は、アクリル系樹脂、アクリロニトリル系樹脂、アクリロニトリルポリスチレン共重合体、ポリカーボネート系樹脂、シクロオレフィン系樹脂、ポリエステル系樹脂、スチレン系樹脂、アクリル／スチレン系共重合樹脂などである。活性線硬化性樹脂は、アクリルレート、メタクリレート、および、エポキシ樹脂などである。
【００７４】
例えば、溶融した状態の熱可塑性樹脂に原版を押圧して、熱可塑性樹脂の表面にレンズ１６ａの構造を付与する溶融成形によって、レンズアレイ層１６を構成する支持層１６ｂとレンズ１６ａとを同時に形成することができる。また例えば、溶融した状態の熱可塑性樹脂を支持層１６ｂに相当する基体に塗布して塗膜を形成し、次いで、塗膜に対してレンズ１６ａの原版を押圧した状態で熱可塑性樹脂を硬化させることによって、レンズアレイ層１６を形成することができる。
【００７５】
以上説明したように、表示体、および、表示体の観察方法の第１実施形態によれば、以下に列挙する効果を得ることができる。
（１）位相差層１４に第１位相差部１４ａとして含まれる潜像は、表示体１０に対して検証器である偏光子Ｐがかざされたときに立体像として出現するため、表示体１０の視覚的な効果が高まる。
【００７６】
（２）液晶分子と接着層１５との間の接着力は、光反応性分子と接着層１５との間の接着力よりも大きいため、レンズアレイ層１６が配向規制層１３と対向する構成と比べて、レンズアレイ層１６とレンズアレイ層１６に対向する層とがより強固に接着される。
（３）表示体１０では、基材１１と配向規制層１３との間に反射層１２が位置するため、基材１１の形成方法における自由度が高まる。
【００７７】
［第１実施形態の変形例］
なお、上述した第１実施形態は、以下のように適宜変更して実施することもできる。
・基材１１の形成材料は上述した樹脂に限らず、例えば、ガラス、および、金属などの無機物であってもよい。
【００７８】
・配向規制層１３と位相差層１４とが接していれば、反射層１２に対して配向規制層１３が接し、かつ、位相差層１４に接着層１５が接する構成に限らず、反射層１２に対して位相差層１４が接し、かつ、配向規制層１３が接着層１５に接する構成であってもよい。要は、表示体１０において、配向規制層１３と位相差層１４とが、反射層１２とレンズアレイ層１６とによって挟まれていればよい。こうした構成であっても、上述した（１）および（３）と同等の効果を得ることはできる。
【００７９】
・配向規制層１３の形成材料は、上述した光反応性の分子以外の材料であって、光の照射以外の方法、例えば、ラビング法などによって配向規制層１３における配向規制方向を与えることが可能な材料であってもよい。
【００８０】
・表示体１０は、透明な反射層を有してもよい。そして、反射層は、レンズアレイ層１６と反射層とが積み重なる方向において、反射層の法線方向と交差する方向から反射層に入射した光を反射し、法線方向に平行な方向から反射層に入射した光を透過してもよい。反射層に対して法線方向と交差する方向から反射層に入射した光が斜光であり、反射層は斜光に対する屈折率に応じた反射特性を有する。
【００８１】
反射層の形成材料は、例えば、金属および金属化合物などの無機物、無機物が添加された有機ポリマー、および、有機ポリマーのいずれかである。反射層は、単一の層から構成される単層構造を有してもよいし、複数の層から構成される多層構造を有してもよい。反射層が多層構造を有する構成であれば、反射層を構成する層には、金属などの無機物の層と有機ポリマーを含んだ層とが含まれてもよい。
【００８２】
反射層の形成材料が無機物を含むとき、無機物は、上述した元素の群から選択される少なくとも１つ、あるいは、この群から選択される少なくとも１つの化合物などであればよい。
【００８３】
中でも、反射層の形成材料が無機化合物であるとき、反射層の形成材料は、例えば、Ｆｅ２Ｏ３、ＴｉＯ２、ＣｄＳ、ＣｅＯ２、ＺｎＳ、ＰｂＣｌ２、ＣｄＯ、ＷＯ３、ＳｉＯ、Ｓｉ２Ｏ３、Ｉｎ２Ｏ３、ＰｂＯ、Ｔａ２Ｏ３、ＺｎＯ、ＺｒＯ２、ＭｇＯ、ＳｉＯ２、ＭｇＦ２、ＣｅＦ３、ＣａＦ２、ＡｌＦ３、Ａｌ２Ｏ３、および、ＧａＯなどのいずれかであればよい。無機化合物から形成される反射層は、例えば、真空蒸着法、スパッタリング法、および、ＣＶＤ法などを用いて形成することができる。
【００８４】
反射層の形成材料が有機ポリマーを含むとき、反射層の形成材料は、例えば、ポリエチレン、ポリプロピレン、ポリテトラフルオロエチレン、ポリメチルメタクリレート、および、ポリスチレンなどである。有機ポリマーを含む反射層は、各種の印刷法などを用いて形成することができる。
【００８５】
反射層が、反射層に入射した光の一部を透過する構成であっても、反射層に入射した光の少なくとも一部を反射する以上は、上述した（１）と同等の効果を得ることができる。
【００８６】
・表示体１０は、接着層１５を有していなくてもよく、この場合には、位相差層に対してレンズアレイ層１６を直に形成すればよい。
【００８７】
・図１３が示すように、反射層１２は、基材１１と配向規制層１３との間ではなく、基材１１に対して配向規制層１３とは反対側に位置してもよい。要は、反射層１２は、配向規制層１３に対して位相差層１４とは反対側に位置していればよい。こうした構成では、配向規制層１３に含まれる分子が、基材１１の延伸方向に沿って配向することを抑える上で、基材１１が無延伸フィルムであることが好ましい。
【００８８】
・配向規制層１３は、互いに異なる配向規制方向を有した部分を３種以上含んでもよい。こうした配向規制層は、感光性層１３ｐに対する露光を３回以上行い、かつ、各露光において互いに異なる透過部を有したマスクを用いることによって形成することができる。あるいは、こうした配向規制層は、感光性層１３ｐの露光に用いるマスクとして、偏光子を含むマスクを用いることによっても形成することができる。
【００８９】
なお、配向規制層１３が互いに異なる配向規制方向を有した部分を３種以上含むことによって、位相差層１４も、互いに異なる配向方向を有した３種以上の部分を含む。
【００９０】
・図１４が示すように、各第１位相差部１４ａと、各第１位相差部１４ａに隣り合う全ての第１位相差部１４ａとの間の距離が、位相差ピッチＰｄであるように、複数の第１位相差部１４ａが並んでいてもよい。すなわち、複数の第１位相差部１４ａは、六方格子状に並んでいてもよい。こうした構成では、各レンズ１６ａも、他の全てのレンズ１６ａとは異なる１つの第１位相差部１４ａに対して重なり、かつ、位相差ピッチＰｄとレンズピッチＰｌとが異なるように、六方格子状に並んでいればよい。
【００９１】
こうした構成では、互いに隣り合う全ての第１位相差部１４ａ間において位相差ピッチＰｄが等しく、かつ、互いに隣り合う全てのレンズ１６ａ間においてレンズピッチＰｌが等しい。これに対して、図３を参照して先に説明した構成では、Ｘ方向と交差する方向において互いに隣り合う第１位相差部１４ａ間の距離は位相差ピッチＰｄよりも大きく、かつ、Ｘ方向と交差する方向において互いに隣り合うレンズ１６ａ間の距離はレンズピッチＰｌよりも大きい。そのため、立体像Ｓの視認性の向上もしくは角度依存性の低減を図る上では、第１位相差部１４ａおよびレンズ１６ａは、六方格子状に並んでいることが好ましい。
【００９２】
・図１５が示すように、レンズアレイ層１６の備えるレンズは、シリンドリカルレンズ１６ｃであってもよい。シリンドリカルレンズ１６ｃは、Ｙ方向に沿って延び、かつ、Ｘ方向に沿って並び、複数のシリンドリカルレンズ１６ｃは、レンチキュラーレンズを構成している。各シリンドリカルレンズ１６ｃは、Ｙ方向に沿って並ぶ複数の第１位相差部１４ｃに対して焦点を有し、かつ、他の全てのシリンドリカルレンズ１６ｃとは異なる第１位相差部１４ａに焦点を有している。
【００９３】
シリンドリカルレンズ１６ｃでは、Ｘ方向に沿って第１位相差部１４ｃの拡大される倍率が、Ｙ方向に沿って第１位相差部１４ｃの拡大される倍率よりも大きい。そのため、所望とする立体像ＳにおけるＸ方向の長さに対するＹ方向の長さの比よりも、第１位相差部１４ｃにおけるＸ方向の長さに対するＹ方向の長さの比が大きい。
【００９４】
・図１６が示すように、表示体１０は、基材１１に対して反射層１２とは反対側に位置する付着層１７を備えてもよい。表示体１０は、付着層１７によって例えば他の基材に付着することができる。
【００９５】
付着層１７の形成材料は、各種の接着剤、または、各種の粘着剤であればよい。付着層１７に対して、他の基材に付着する以外の機能を与えたい場合には、付着層１７に与える機能に応じて、接着剤あるいは粘着剤以外の材料が付着層１７の形成材料に対して添加されてもよい。
【００９６】
・表示体１０は、表示体１０の備える各層が積み重なる方向において、配向規制層１３と位相差層１４との間以外の位置であれば、他の層、例えば、２つの層の間における密着性を高める機能を有したアンカー層などを有してもよい。なお、アンカー層が、反射層１２に対して基材１１とは反対側に位置する場合には、アンカー層は光透過性を有した層である。
【００９７】
・図１７が示すように、光の一部を透過する反射層２１を備える表示体２０は、さらに、可視光によって所定の像を形成する印刷層２２を備えてもよく、印刷層２２は、反射層２１に対してレンズアレイ層１６とは反対側に位置していればよい。
【００９８】
印刷層２２は、受像層２２ａと、印刷部２２ｂとを備えている。受像層２２ａの形成材料は、例えば各種樹脂であり、受像層２２ａは、受像層２２ａの形成材料を、グラビアコート法、および、ダイコート法などによって基材１１の１つの面に塗布することによって形成することができる。
【００９９】
印刷部２２ｂの形成材料は、例えば、顔料および染料の少なくとも一方を含んだインキであり、インキは、可視光の少なくとも一部を吸収するとともに、他の一部を反射する特性、あるいは、可視光のほとんどを吸収する特性などを有していればよい。例えば、グラビア印刷法、転写法、および、インクジェット法などを用いて、受像層２２ａのうち、基材１１に接する面とは反対側の面にインキを塗布することによって、印刷部２２ｂを形成することができる。
【０１００】
図１８および図１９を参照して、表示体２０の作用を説明する。なお、図１８および図１９では、図示の便宜上から、レンズアレイ層１６における接着層１５とは反対側の面を平坦面で表している。
【０１０１】
図１８示すように、表示体２０に対して偏光子がかざされていない状態では、印刷部２２ｂが可視光によって像を形成する。印刷部２２ｂは、例えば、複数の直線から構成され、複数の直線は、印刷層２２によって区画される平面において、共通する１つの点から放射状に延びている。
【０１０２】
図１９が示すように、表示体２０に対して偏光子Ｐがかざされると、第１位相差部１４ａの拡大像の集合である立体像Ｓが出現する。加えて、印刷部２２ｂの形成する像は、反射層２１、配向規制層１３、および、位相差層１４を透過する。そのため、表示体２０は、レンズアレイ層１６を通して、印刷部２２ｂの形成する像と、立体像Ｓとを表示することができる。
このように、表示体２０は、表示体２０に対して偏光子Ｐがかざされているときとかざされていないときとで、互いに異なる像を表示することができる。
【０１０３】
表示体２０によれば、以下に記載の効果を得ることができる。
（４）表示体２０に偏光子Ｐがかざされていない状態では、表示体２０が印刷層２２による像のみを表示する一方で、表示体２０に偏光子Ｐがかざされた状態では、表示体２０が印刷層２２による像と立体像Ｓとの両方を表示することができるため、表示体２０の視覚的な効果がより高まる。
【０１０４】
なお、表示体２０は、上述した第１実施形態の表示体１０における各変形例と組み合わせて実施することもできる。
【０１０５】
・透明な反射層２１を備える表示体３０は、図２０から図２２を参照して以下に説明する構成であってもよい。
図２０が示すように、表示体３０は、印刷層３１とレンズアレイ層３２とを備えている。印刷層３１は、受像層３１ａと、複数のマイクロパターン３１ｂとを備えている。複数のマイクロパターン３１ｂは、受像層３１ａのうち、基材１１に接する面とは反対側の面において、所定の間隔であるパターンピッチＰｐで並んでいる。
【０１０６】
レンズアレイ層３２は、複数の第１レンズ３３、複数の第２レンズ３４、および、支持層３５を備えている。支持層３５のうち、接着層１５に接する面とは反対側の面において、複数の第１レンズ３３は第１レンズピッチＰｌ１で並び、位相差層１４とレンズアレイ層３２とが積み重なる方向において、各第１レンズ３３は、他の全ての第１レンズ３３とは異なる第１位相差部１４ａに重なっている。複数の第１レンズ３３は、第１位相差部１４ａの拡大像の集合によって第１立体像を形成する。複数の第１レンズ３３、および、支持層３５のうち、複数の第１レンズ３３によって覆われる部分が、第１レンズアレイ層の一例を構成している。
【０１０７】
複数の第２レンズ３４は、パターンピッチＰｐとは異なる第２レンズピッチＰｌ２で並び、各第２レンズ３４は、他の全ての第２レンズ３４とは異なるマイクロパターン３１ｂに焦点を有している。複数の第２レンズ３４は、マイクロパターン３１ｂの拡大像の集合によって第２立体像を形成する。複数の第２レンズ３４、および、支持層３５のうち、複数の第２レンズ３４によって覆われる部分が、第２レンズアレイ層の一例を構成している。
【０１０８】
図２１が示すように、表示体３０に対して偏光子がかざされていない状態では、マイクロパターン３１ｂの拡大像の集合である第２立体像Ｓ２が出現する。第２立体像Ｓ２、すなわち、各マイクロパターン３１ｂは、月形状を有しているが、円状、多角形状、および、直線状などの他の形状を有してもよい。あるいは、マイクロパターン３１ｂは、所定の文字や数字を表現する形状を有してもよい。
【０１０９】
図２２が示すように、表示体３０に対して偏光子Ｐがかざされると、第１位相差部１４ａの拡大像の集合である第１立体像Ｓ１が出現する。加えて、印刷層３１の有するマイクロパターン３１ｂは、反射層２１、配向規制層１３、および、位相差層１４を透過する。そのため、表示体３０は、レンズアレイ層３２を通して、第１位相差部１４ａに基づく第１立体像Ｓ１と、マイクロパターン３１ｂに基づく第２立体像Ｓ２とを表示することができる。
【０１１０】
表示体３０によれば、以下に記載の効果を得ることができる。
（５）表示体３０は、第１位相差部１４ａに基づく第１立体像Ｓ１と、マイクロパターン３１ｂに基づく第２立体像Ｓ２との２つの立体像を表示することができるため、表示体３０の視覚的な効果がより高まる。
なお、表示体３０は、上述した第１実施形態の表示体１０における各変形例と組み合わせて実施することもできる。
【０１１１】
［第２実施形態］
図２３から図２５を参照して表示体、および、表示体の観察方法の第２実施形態を説明する。第２実施形態の表示体は、第１実施形態の表示体と比べて、レンズアレイ層を備えていない点が異なっている。そのため、以下では、こうした相違点を詳しく説明し、第２実施形態において第１実施形態と共通する構成には、第１実施形態と同じ符号を付すことによって、その詳細な説明を省略する。また、以下では、表示体の構成、および、表示体の観察方法を順番に説明する。
【０１１２】
［表示体の構成］
図２３を参照して表示体の構成を説明する。
図２３が示すように、表示体４０は、レンズピッチＰｌで並ぶ複数のレンズを含むレンズアレイ層を備える検証器による観察に適用される表示体であり、第１実施形態の表示体１０と同様、基材１１、反射層１２、配向規制層１３、および、位相差層１４を備えている。表示体４０は、さらに、保護層４１を備え、保護層４１は、位相差層１４と配向規制層１３とを挟んで反射層１２と対向し、光透過性を有している。保護層４１は、位相差層１４のうち、配向規制層１３に接する面とは反対側の面に位置している。
【０１１３】
表示体４０では、位相差層１４と配向規制層１３とが反射層１２と保護層４１とによって挟まれているため、位相差層１４と配向規制層１３とに、化学的な損傷や物理的な損傷が生じることが抑えられる。
【０１１４】
保護層４１は、位相差層１４と配向規制層１３とにおける損傷を抑える機能に加えて、他の機能を有してもよい。保護層４１は、例えば、各種の印刷法によって印刷される画像を受像することが可能な受像層としての機能、位相差層１４の擦傷を抑えるハードコート層としての機能、および、紫外線を吸収する吸収層としての機能などを有してもよい。
【０１１５】
保護層４１の形成材料は、保護層４１の有する機能にあわせて選択されればよく、各種の樹脂のみであってもよいし、各種の樹脂と各種のフィラーとを含んでもよい。保護層４１は、単一の層から構成される単層構造を有してもよいし、複数の層から構成される多層構造を有してもよい。
【０１１６】
［表示体の観察方法］
図２４および図２５を参照して、表示体４０の観察方法を説明する。
図２４が示すように、表示体４０の観察方法は、検証器５０を用いて表示体４０を観察する方法である。検証器５０は、レンズアレイ層５１と偏光子層５２とを含み、レンズアレイ層５１は、上述したレンズピッチＰｌで並ぶ複数のレンズ５１ａと、複数のレンズ５１ａを支持する支持層５１ｂとを備えている。検証器５０において、レンズアレイ層５１における複数のレンズ５１ａと偏光子層５２とが対向する状態で、レンズアレイ層５１と偏光子層５２とが積み重なっている。
【０１１７】
表示体４０を観察するときには、検証器５０のうち、レンズアレイ層５１が、表示体４０における位相差層１４と配向規制層１３とを挟んで反射層１２と対向するように、検証器５０を表示体４０にかざす。このとき、レンズアレイ層５１のうち、複数のレンズ５１ａが、支持層５１ｂに対して表示体４０とは反対側に位置する状態で、検証器５０を表示体４０にかざす。これにより、第１位相差部１４ａの拡大像の集合である立体像が出現するため、表示体４０の観察者ＯＢは、立体像を視認することができる。
以上説明したように、表示体、および、表示体の観察方法の第２実施形態によっても、上述した（１）から（３）と同等の効果を得ることができる。
【０１１８】
［第２実施形態の変形例］
なお、上述した第２実施形態は、以下のように適宜変更して実施することもできる。
・図２５が示すように、検証器５０において、レンズアレイ層５１における支持層５１ｂが偏光子層５２と接する状態で、レンズアレイ層５１と偏光子層５２とが積み重なっていてもよい。こうした検証器５０を用いる場合には、検証器５０のうち、偏光子層５２が表示体４０の保護層４１と対向する状態で、検証器５０を表示体４０にかざす。これにより、第１位相差部１４ａの拡大像の集合である立体像が出現するため、表示体４０の観察者ＯＢは、立体像を視認することができる。
【０１１９】
・図２６が示すように、表示体４０は、偏光子層４２をさらに備えてもよく、偏光子層４２は、位相差層１４と配向規制層１３とを挟んで反射層１２と対向している。偏光子層４２は、位相差層１４と保護層４１との間に位置し、位相差層１４と保護層４１とに接している。
【０１２０】
こうした構成によれば、以下に記載の効果を得ることができる。
（６）第１位相差部１４ａに基づく立体像を出現させるための検証器５０において、偏光子層５２が不要になる。
【０１２１】
・図２７が示すように、表示体４０を形成するための転写箔６０は、例えば、上述した基材１１、反射層１２、配向規制層１３、位相差層１４、および、保護層４１に加えて、以下の層を備える積層体であればよい。
【０１２２】
すなわち、転写箔６０は、接着層６１、および、支持層６２を備えている。転写箔６０において、接着層６１は、基材１１に対して反射層１２とは反対側に位置し、支持層６２は、保護層４１に対して位相差層１４とは反対側に位置している。支持層６２の形成材料は、保護層４１と支持層６２との間の密着性が、他の層間における密着性よりも低くなる材料であればよい。あるいは、保護層４１と支持層６２との界面、すなわち、保護層４１における支持層６２に接する面、および、支持層６２における保護層４１に接する面の少なくとも一方には、保護層４１と支持層６２との間の密着性が、他の層間における密着性よりも低くなるための加工が施されていてもよい。
【０１２３】
転写箔６０を用いて表示体４０を形成するとき、転写箔６０における接着層６１が、転写箔６０の一部を転写したい物品に接する状態で、支持層６２のうち、保護層４１に接する面とは反対側の面にホットスタンプを押し付ける。そして、物品に対する転写箔６０の位置を変えることにより、支持層６２が保護層４１の一部から剥離するため、物品に対して表示体４０を転写することができる。
【０１２４】
・第２実施形態における表示体４０は、第１実施形態の変形例における表示体１０，２０，３０のうち、レンズアレイ層および接着層１５を除いた構成と組み合わせて実施することもできる。なお、第２実施形態における表示体４０と、上述した表示体３０のうち、レンズアレイ層３２および接着層１５を除いた構成と組み合わせる場合には、検証器５０に含まれるレンズアレイ層５１が、上述した複数の第１レンズ３３および複数の第２レンズ３４に相当する構成を有していればよい。
【符号の説明】
【０１２５】
１０，２０，３０，４０…表示体、１１…基材、１２，２１…反射層、１３…配向規制層、１３ａ…第１規制部、１３ａｐ…前駆部、１３ｂ…第２規制部、１３ｐ…感光性層、１４…位相差層、１４ａ，１４ｃ…第１位相差部、１４ｂ…第２位相差部、１５，６１…接着層、１６，３２，５１…レンズアレイ層、１６ａ，５１ａ…レンズ、１６ｂ，３５，５１ｂ，６２…支持層、１６ｃ…シリンドリカルレンズ、１７…付着層、２２，３１…印刷層、２２ａ，３１ａ…受像層、２２ｂ…印刷部、３１ｂ…マイクロパターン、３３…第１レンズ、３４…第２レンズ、４１…保護層、４２，５２…偏光子層、５０…検証器、６０…転写箔、Ｐ…偏光子。
【図１】
2017156703.tif 000003
【図２】
2017156703.tif 000004
【図３】
2017156703.tif 000005
【図４】
2017156703.tif 000006
【図５】
2017156703.tif 000007
【図６】
2017156703.tif 000008
【図７】
2017156703.tif 000009
【図８】
2017156703.tif 000010
【図９】
2017156703.tif 000011
【図１０】
2017156703.tif 000012
【図１１】
2017156703.tif 000013
【図１２】
2017156703.tif 000014
【図１３】
2017156703.tif 000015
【図１４】
2017156703.tif 000016
【図１５】
2017156703.tif 000017
【図１６】
2017156703.tif 000018
【図１７】
2017156703.tif 000019
【図１８】
2017156703.tif 000020
【図１９】
2017156703.tif 000021
【図２０】
2017156703.tif 000022
【図２１】
2017156703.tif 000023
【図２２】
2017156703.tif 000024
【図２３】
2017156703.tif 000025
【図２４】
2017156703.tif 000026
【図２５】
2017156703.tif 000027
【図２６】
2017156703.tif 000028
【図２７】
2017156703.tif 000029